(57)【要約】【課題】蓋が嵌り易い食品容器を提供する。【解決手段】食品容器は、容器本体と、容器本体に嵌合する蓋とを備える。容器本体は、内周面を有する周壁を有する。蓋は、容器本体の周壁に嵌合する嵌合部を有する。嵌合部は、嵌合方向ＤＡにおける離間側ＳＡに向かって延びる外周壁を有する。外周壁は、容器本体の周壁の内周面の全周にわたって接触する外周面３７ｂと、嵌合方向ＤＡに沿って延びる溝４１とを有する。溝４１の第１端４１ａは、外周面３７ｂにおいて嵌合方向ＤＡの嵌合側ＳＢの端３７ｂｒまで延び、溝４１の第２端４１ｂは、外周面３７ｂにおいて嵌合方向ＤＡの嵌合側ＳＢの端３７ｂｒと離間側ＳＡの端３７ｂｓとの間に配置される。少なくとも溝４１の第２端４１ｂ側の端部４２は、周方向の幅長について、嵌合方向ＤＡの離間側ＳＡに向かって先細りに構成されている。【選択図】図７
0003207937.tif 000002
【実用新案登録請求の範囲】
【請求項１】
容器本体と、前記容器本体に嵌合する蓋とを備える食品容器であって、
前記容器本体は、食品が収容される収容部と、前記収容部の周囲に設けられて内周面を有する周壁とを有し、
前記蓋は、蓋本体部と、前記蓋本体部の周囲に設けられて前記周壁に嵌合する嵌合部とを有し、
前記蓋の前記嵌合部は、嵌合方向における離間側に向かって延びる外周壁を有し、前記外周壁は、前記容器本体の前記周壁の前記内周面の全周にわたって接触する外周面と、前記嵌合方向に沿って延びる溝とを有し、
前記溝の第１端は、前記外周面において前記嵌合方向の嵌合側の端まで延び、前記溝の第２端は、前記外周面において前記嵌合方向の嵌合側の端と離間側の端との間に配置され、
少なくとも前記溝の前記第２端側の端部は、周方向の幅長について、前記嵌合方向の離間側に向かって先細りに構成されている、食品容器。
【請求項２】
前記蓋の前記外周面は、複数の面部と、前記各面部の間に配置されて前記面部よりも曲率が高い複数の曲面部とを有し、
前記溝は、前記曲面部に設けられる
請求項１に記載の食品容器。
【請求項３】
前記蓋の前記外周面は、互いに対向する一対の面部と、前記一対の面部の並びの方向に対して交差する方向で互いに対向する一対の面部と、４つの前記面部の間を繋ぐ４つの曲面部とを有し、
前記溝は、４つの前記曲面部の少なくとも２つに設けられる
請求項２に記載の食品容器。
【請求項４】
前記蓋の前記外周壁は、前記嵌合方向の嵌合側に傾斜部を有し、
前記溝の前記第１端は、前記傾斜部において開口する
請求項１〜請求項３のいずれか一項に記載の食品容器。
【請求項５】
前記溝は、前記嵌合方向の嵌合側の端を基点として、前記嵌合方向の離間側に向かって前記外周面の１／４以上３／４以下のところまで延びる
請求項１〜請求項４のいずれか一項に記載の食品容器。
【請求項６】
前記容器本体の少なくとも前記内周面及び前記蓋の少なくとも前記外周面のうち少なくとも一方は、２軸延伸樹脂により構成される
請求項１〜請求項５のいずれか一項に記載の食品容器。
【請求項７】
容器本体と、前記容器本体に嵌合する蓋とを備える食品容器であって、
前記容器本体は、食品が収容される収容部と、前記収容部の周囲に設けられる周壁とを有し、
前記蓋は、蓋本体部と、前記蓋本体部の周囲に設けられて前記周壁に嵌合する嵌合部とを有し、前記嵌合部は、嵌合方向における離間側に向かって延びる外周壁を有し、
前記容器本体の前記周壁は、前記外周壁の外周面の全周にわたって接触する内周面と、前記嵌合方向に沿って延びる溝とを有し、
前記溝の第１端は、前記内周面において前記嵌合方向の離間側の端まで延び、前記溝の第２端は、前記内周面において前記嵌合方向の嵌合側の端と離間側の端との間に配置され、
少なくとも前記溝の前記第２端側の端部は、周方向の幅長について、前記嵌合方向の嵌合側に向かって先細りに構成されている
食品容器。
【請求項８】
前記溝は、前記嵌合方向の離間側の端を基点として、前記嵌合方向の嵌合側に向かって前記内周面の１／４以上３／４以下のところまで延びる
請求項７に記載の食品容器。
【考案の詳細な説明】
【技術分野】
【０００１】
本考案は、蓋と容器本体とが嵌合する食品容器に関する。
【背景技術】
【０００２】
食品容器として、特許文献１に記載の技術が知られている。
特許文献１に記載の食品容器は、蓋（同文献では蓋体）と、容器本体とを備える。蓋の嵌合部は、容器本体の被嵌合部に嵌る。蓋の嵌合部と容器本体の被嵌合部とは、両者の嵌合時、食品容器内の液体を漏らさないように密着する。
【先行技術文献】
【特許文献】
【０００３】
【特許文献１】特開２０１３−２０３４７４公報
【考案の概要】
【考案が解決しようとする課題】
【０００４】
ところで、容器本体に蓋を取り付けるとき、容器本体の開口部に蓋が嵌り難いことがある。本考案は、このような課題を解決する。
【課題を解決するための手段】
【０００５】
（１）上記課題を解決する食品容器は、容器本体と、前記容器本体に嵌合する蓋とを備える食品容器であって、前記容器本体は、食品が収容される収容部と、前記収容部の周囲に設けられて内周面を有する周壁とを有し、前記蓋は、蓋本体部と、前記蓋本体部の周囲に設けられて前記周壁に嵌合する嵌合部とを有し、前記蓋の前記嵌合部は、嵌合方向における離間側に向かって延びる外周壁を有し、前記外周壁は、前記容器本体の前記周壁の前記内周面の全周にわたって接触する外周面と、前記嵌合方向に沿って延びる溝とを有し、前記溝の第１端は、前記外周面において前記嵌合方向の嵌合側の端まで延び、前記溝の第２端は、前記外周面において前記嵌合方向の嵌合側の端と離間側の端との間に配置され、少なくとも前記溝の前記第２端側の端部は、周方向の幅長について、前記嵌合方向の離間側に向かって先細りに構成されている。
【０００６】
上記構成において、蓋の嵌合部の外周面に設けられている溝は、嵌合方向に沿って延びる。この溝の第２端は、外周面において嵌合方向の嵌合側の端と離間側の端との間に配置される。このため、蓋が容器本体に嵌合するとき、溝を通って空気が外部に排出されるため、蓋が円滑に押し込められる。また、溝の第２端側の端部は、周方向の幅長について、嵌合方向の離間側に向かって先細りに構成されているため、周方向の幅長が嵌合方向における一端から他端にわたって一定である溝に比べて、溝の第２端付近での、嵌合部の外周面と容器本体の内周面との接触面積が大きくなる。これによって接触面積が確保されるため、液漏れが効果的に抑制される。
【０００７】
（２）上記食品容器において、前記蓋の前記外周面は、複数の面部と、前記各面部の間に配置されて前記面部よりも曲率が高い複数の曲面部とを有し、前記溝は、前記曲面部に設けられる。
【０００８】
蓋と容器本体とが嵌合した食品容器において、曲率が高い曲面部は、他の面部よりも変形し難く、蓋の嵌合部の外周面と容器本体の周壁の内周面との密着状態が解除され難い。上記構成では、このような曲面部に溝が設けられていることから、溝の存在によって液漏れが生じるといったことが効果的に抑制される。
【０００９】
（３）上記食品容器において、前記蓋の前記外周面は、互いに対向する一対の面部と、前記一対の面部の並びの方向に対して交差する方向で互いに対向する一対の面部と、４つの前記面部の間を繋ぐ４つの曲面部とを有し、前記溝は、４つの前記曲面部の少なくとも２つに設けられる。これにより、蓋が斜めに嵌合することにより、１つの溝が封鎖されるときでも、他方の溝により内部空間と外部とが連通するため、蓋が斜めになるときであっても蓋を押し込み易い。
【００１０】
（４）上記食品容器において、前記蓋の前記外周壁は、前記嵌合方向の嵌合側に傾斜部を有し、前記溝の前記第１端は、前記傾斜部において開口する。
この構成によれば、溝の第１端側の開口面積が大きくなる。これにより、蓋と容器本体との嵌合において、食品容器内の空気が排出され易くなる。
【００１１】
（５）上記食品容器において、前記溝は、前記嵌合方向の嵌合側の端を基点として、前記嵌合方向の離間側に向かって前記外周面の１／４以上３／４以下のところまで延びる。
この構成によれば、蓋と容器本体との嵌合中において、嵌合方向における押し込み距離の少なくとも１／４までは食品容器内の空気の排出により蓋の押し込みが円滑に進むようになる。また、蓋と容器本体とが嵌合した状態で、嵌合部の外周面と容器本体の内周面との間の接触部分でかつ溝を含む領域では、嵌合方向における少なくとも１／４の部分で、嵌合部の外周面と容器本体の内周面とが接触する。
【００１２】
（６）上記食品容器において、前記容器本体の少なくとも前記内周面及び前記蓋の少なくとも前記外周面のうち少なくとも一方は、２軸延伸樹脂により構成される。
２軸延伸樹脂と非延伸樹脂との接触または２軸延伸樹脂同士の接触によれば、非延伸樹脂同士の接触に比べて摩擦力（グリップ力）が高くなる。このため、上記構成によれば、内周面と外周面との間からの液漏れが効果的に抑制される。
【００１３】
（７）上記課題を解決する食品容器は、容器本体と、前記容器本体に嵌合する蓋とを備える食品容器であって、前記容器本体は、食品が収容される収容部と、前記収容部の周囲に設けられる周壁とを有し、前記蓋は、蓋本体部と、前記蓋本体部の周囲に設けられて前記周壁に嵌合する嵌合部とを有し、前記嵌合部は、嵌合方向における離間側に向かって延びる外周壁を有し、前記容器本体の前記周壁は、前記外周壁の外周面の全周にわたって接触する内周面と、前記嵌合方向に沿って延びる溝とを有し、前記溝の第１端は、前記内周面において前記嵌合方向の離間側の端まで延び、前記溝の第２端は、前記内周面において前記嵌合方向の嵌合側の端と離間側の端との間に配置され、少なくとも前記溝の前記第２端側の端部は、周方向の幅長について、前記嵌合方向の嵌合側に向かって先細りに構成されている。
【００１４】
上記構成において、容器本体の周壁の内周面に設けられている溝は、嵌合方向に沿って延びる。この溝の第２端は、内周面において嵌合方向の嵌合側の端と離間側の端との間に配置される。このため、蓋が容器本体に嵌合するとき、溝を通って空気が外部に排出されるため、蓋が円滑に押し込められる。また、溝の第２端側の端部は、周方向の幅長について、嵌合方向の嵌合側に向かって先細りに構成されてため、周方向の幅長が嵌合方向における一端から他端にわたって一定である溝に比べて、溝の第２端付近での、嵌合部の外周面と容器本体の内周面との接触面積が大きくなる。これによって接触面積が確保されるため、液漏れを効果的に抑制される。
【００１５】
（８）上記食品容器において、前記溝は、前記嵌合方向の離間側の端を基点として、前記嵌合方向の嵌合側に向かって前記内周面の１／４以上３／４以下のところまで延びる。
この構成によれば、蓋と容器本体との嵌合中において、嵌合方向における押し込み距離の少なくとも１／４までは食品容器内の空気の排出により蓋の押し込みが円滑に進むようになる。また、蓋と容器本体とが嵌合した状態で、嵌合部の外周面と容器本体の内周面との間の接触部分でかつ溝を含む領域では、嵌合方向における少なくとも１／４の部分で、嵌合部の外周面と容器本体の内周面とが接触する。
【考案の効果】
【００１６】
上記食品容器の蓋体は、容器本体に嵌め込められ易い。
【図面の簡単な説明】
【００１７】
【図１】第１実施形態について、食品容器の断面図。
【図２】第１実施形態について、下からみた蓋の平面図。
【図３】第１実施形態について、図２のＡ−Ａ線に沿う、蓋の断面図。
【図４】第１実施形態について、図３のＣ部の拡大平面図。
【図５】第１実施形態について、蓋の嵌合部と容器本体の周壁とが嵌合し始めた状態の断面図。
【図６】第１実施形態について、蓋の嵌合部と容器本体の周壁との嵌合状態を示す断面図。
【図７】図５の矢印Ａからみた蓋の溝の正面図。
【図８】図５の矢印Ａからみた蓋の溝の第１変形例を示す正面図。
【図９】図５の矢印Ａからみた蓋の溝の第２変形例を示す正面図。
【図１０】図５の矢印Ａからみた蓋の溝の第３変形例を示す正面図。
【図１１】第２実施形態について、蓋の嵌合部と容器本体の周壁とが嵌合し始めた状態の断面図。
【図１２】第２実施形態について、蓋の嵌合部と容器本体の周壁との嵌合状態を示す断面図。
【図１３】図１１の矢印Ｂからみた容器本体の溝の正面図。
【図１４】図１１の矢印Ｂからみた容器本体の溝の第１変形例を示す正面図。
【図１５】図１１の矢印Ｂからみた容器本体の溝の第２変形例を示す正面図。
【図１６】図１１の矢印Ｂからみた容器本体の溝の第３変形例を示す正面図。
【考案を実施するための形態】
【００１８】
＜第１実施形態＞
図１〜図１０を参照して、第１実施形態に係る食品容器について説明する。なお、図１では、太線が断面を示す。
食品容器１は、食品を収容する。食品容器１に収容される食品は、限定されない。本実施形態に係る食品容器１は、密封性が高いため、液状物を含む食品の容器本体として好適に用いられ得る。例えば、液状物を含む食品として、ソースが付いたパスタ、ソースがつけられたオムレツ、ソースがつけられたチャーハン、ソースがつけられたサラダ、おでん、煮物等が挙げられる。
【００１９】
以下の説明では、便宜上、食品容器１を水平な面に置いたときの食品容器１の姿勢を基準姿勢として、食品容器１の上下方向を定義する。食品容器１の上下方向は、食品容器１が水平な面に置かれた状態（すなわち基準姿勢での状態）で、鉛直方向に沿う方向として定義される。食品容器１の上とは、蓋側であり、食品容器１の下とは、容器本体側である。容器本体及び蓋それぞれについても同様に方向が定義される。また、後述する嵌合方向ＤＡとは、容器本体に蓋を嵌め込むときの方向を示し、基準姿勢では、嵌合方向ＤＡと上下方向とは一致する。嵌合方向ＤＡにおいて離間側ＳＡとは、容器本体から蓋を外す方向を示し、基準姿勢では、上側になる。嵌合方向ＤＡにおいて嵌合側ＳＢとは、容器本体に蓋を嵌め込むときの方向を示し、基準姿勢では、下側になる。
【００２０】
食品容器１は、容器本体１０と、容器本体１０に嵌合する蓋３０とを備える。
容器本体１０は、食品が収容される収容部１１と、収容部１１の周囲に設けられて内周面１５ａを有する周壁１５とを有する。好ましくは、容器本体１０は、フランジ部１６を有する。フランジ部１６は周壁１５の周囲に設けられる。
【００２１】
収容部１１は、底面部１２と、底面部１２の周囲に設けられる台足部１３と、台足部１３の周囲に設けられる側面部１４とを有する。
収容部１１の底面部１２は、台足部１３よりも上側に位置する。台足部１３は、テーブル等に食品容器１が置かれるときに、テーブル等の載置面に接触する。側面部１４は、台足部１３に繋がっており上方に向かって外側に広がるように延びる。
【００２２】
周壁１５は、側面部１４の上端から上方に延びる。フランジ部１６は、周壁１５の上端から外側に延びる。
周壁１５は、蓋３０の嵌合部３４（後述参照）が嵌め込められるように構成されている。周壁１５の内周面１５ａと、蓋３０の嵌合部３４の外周面３７ｂとは、平面視において、同じ形状を有する。蓋３０の嵌合部３４が容器本体１０の周壁１５に嵌め込められると、蓋３０の嵌合部３４の外周面３７ｂが容器本体１０の周壁１５の内周面１５ａに接触する。内周面１５ａは、平面視で、円形または楕円形、長円形、またはこれらに類似した形状に構成される。
【００２３】
容器本体１０は、樹脂により構成される。容器本体１０において少なくとも内周面１５ａに樹脂フィルムが積層される。樹脂フィルムの好適な例として、２軸延伸樹脂が挙げられる。容器本体１０を構成するための樹脂シートの例として、非発泡ポリプロピレン系樹脂シートに２軸延伸ポリプロピレン系樹脂フィルムが積層されたシート、発泡ポリプロピレン系樹脂シートに２軸延伸ポリプロピレン系樹脂フィルムが積層されたシート、非発泡ポリスチレン系樹脂シートに２軸延伸ポリスチレン系樹脂フィルムが積層されたシート、発泡ポリスチレン系樹脂シートに２軸延伸ポリスチレン系樹脂フィルムが積層されたシート、発泡ポリエチレンテレフタレート系樹脂シートに２軸延伸ポリエチレンテレフタレート系樹脂フィルムが積層されたシート、非発泡ポリエチレンテレフタレート系樹脂シートに２軸延伸ポリエチレンテレフタレート系樹脂フィルムが積層されたシート、等が挙げられる。上記の非発泡ポリプロピレン系樹脂シート、非発泡ポリスチレン系樹脂シートにはフィラーが含有され得る。
【００２４】
図２〜図６を参照して、蓋３０の構造を説明する。
蓋３０は、蓋本体部３１と、嵌合部３４とを有する。蓋本体部３１は、蓋３０が容器本体１０に嵌め込められたときに容器本体１０の底面部１２の上に配置される平面部３２と、平面部３２の周囲に配置される側面部３３とを有する。側面部３３は、平面部３２から下方に向かって外側に拡張しながら延びる。
【００２５】
蓋３０は、さらに、嵌合部３４の周囲に設けられて外側に延びる延長部３８と、延長部３８の周囲で互いに離れた４箇所から外側に突出する取っ手３９とを備える。取っ手３９は、手で摘み易いように、蓋３０が容器本体１０に嵌め込められた状態で容器本体１０のフランジ部１６から離間するように構成されてもよい。
【００２６】
嵌合部３４は、容器本体１０の周壁１５に嵌合する。嵌合部３４は、蓋本体部３１の周囲に設けられる。例えば、嵌合部３４は、側面部３３の周囲に設けられて側面部３３の下端から下方に延びる内周壁３５と、内周壁３５から外側に延びる横壁３６と、横壁３６から延びて内周壁３５よりも外側に配置される外周壁３７とを備える（図３参照）。好ましくは、横壁３６には、上方に突出する凸部４０が設けられる。この凸部４０は、複数の蓋３０が重ねられる場合、重ねられた一方の蓋３０の嵌合部３４が他方の蓋３０の嵌合部３４に嵌り込むことを抑制し、積み重ねられた蓋３０を一つずつ分離し易いようにする。
【００２７】
図３に示されるように、外周壁３７は、嵌合方向ＤＡにおける離間側ＳＡ（すなわち上側）に向かって延びる。外周壁３７は、好ましくは、嵌合方向ＤＡにおける嵌合側ＳＢ（すなわち下側）において、嵌合側ＳＢに向かって内側に傾斜する傾斜部３７ａを有する。この構成により、嵌合部３４が、容器本体１０の周壁１５内に嵌め込められ易くなる。
【００２８】
外周壁３７は、容器本体１０の周壁１５の内側に嵌め込められる。外周壁３７の外周面３７ｂは、平面視で、円形または楕円形、長円形、またはこれらに類似した形状に構成される。本実施形態では、外周面３７ｂは、互いに対向する一対の面部３７ｘと、この一対の面部３７ｘの並びの方向に対して交差する方向で互いに対向する一対の面部３７ｙと、これら面部３７ｘ，３７ｙを繋ぐ４つの曲面部３７ｒとを有する。曲面部３７ｒは、４つの面部３７ｘ，３７ｙよりも曲率が高い。
【００２９】
外周壁３７の外周面３７ｂは、容器本体１０の周壁１５の内周面１５ａの全周にわたって接触する。外周壁３７の外周面３７ｂには、嵌合方向ＤＡに沿って延びる溝４１が設けられている。好ましくは、溝４１は、外周面３７ｂの曲面部３７ｒに設けられる。
【００３０】
溝４１の第１端４１ａは、外周面３７ｂにおいて嵌合方向ＤＡの嵌合側ＳＢの端３７ｂｒまで延びる（図７参照）。外周壁３７に傾斜部３７ａが設けられている場合、溝４１の第１端４１ａは、傾斜部３７ａで開口する。外周壁３７に傾斜部３７ａが設けられていない場合、溝４１の第１端４１ａは、横壁３６で開口する。
【００３１】
溝４１において第１端４１ａの反対側の第２端４１ｂは、外周面３７ｂにおいて嵌合方向ＤＡの嵌合側ＳＢの端３７ｂｒと離間側ＳＡの端３７ｂｓとの間に配置される。溝４１は、外周面３７ｂにおいて嵌合方向ＤＡの嵌合側ＳＢの端３７ｂｒを基点として、嵌合方向ＤＡの離間側ＳＡに向かって外周面３７ｂの１／４以上３／４以下のところまで延びる。すなわち、溝４１の第２端４１ｂは、嵌合方向ＤＡにおいて外周面３７ｂの幅長ＬＡの１／４以上３／４以下のところに位置する。
【００３２】
また、少なくとも溝４１の第２端４１ｂ側の端部４２は、周方向の幅長ＬＸについて、嵌合方向ＤＡの離間側ＳＡに向かって先細りに構成される（図７参照）。
【００３３】
蓋３０は、樹脂により構成される。例えば、蓋３０は、ポリスチレン樹脂、非結晶性ポリエチレンテレフタレート、ポリプロピレン等により構成される。好ましくは、蓋３０において少なくとも外周面３７ｂは２軸延伸樹脂を含む。蓋３０は、２軸延伸樹脂が積層された樹脂シートにより、または２軸延伸樹脂製シートにより構成されることが好ましい。蓋３０を構成する好適な樹脂シートの例として、２軸延伸ポリスチレン系樹脂シート（一層構造）、２軸延伸ポリプロピレン系樹脂シート（一層構造）、発泡ポリプロピレン系樹脂シートに２軸延伸ポリプロピレン系樹脂フィルムが積層されたシート、無延伸ポリプロピレン系樹脂シートに２軸延伸ポリプロピレン系樹脂フィルムが積層されたシート、等が挙げられる。
【００３４】
図５及び図６を参照して、蓋３０が容器本体１０に嵌合するときの作用及び効果を説明する。嵌合し始めにおいては、蓋３０の嵌合部３４の一部が、容器本体１０の周壁１５に接触した状態になる。従来の蓋構造では、このとき、蓋３０と容器本体１０との嵌合により食品容器１の内部が密封され、食品容器１内の空気が外部に排出し難く、食品容器１内の空気が蓋３０の押し込みに対する抵抗となるため、蓋３０の嵌合が難しくなっている。蓋３０を押し込む力が弱いと、食品容器１内の空気の抵抗により、蓋３０が傾くことがある。このような場合は、嵌合作業のやり直しが強いられる。
【００３５】
本実施形態の食品容器１では、蓋３０は溝４１を有する。溝４１は、嵌合部３４の外周面３７ｂに設けられ、嵌合方向ＤＡに沿って延びる。そして、溝４１の第１端４１ａは、外周面３７ｂにおいて嵌合方向ＤＡの嵌合側ＳＢの端３７ｂｒまで延びる。このため、嵌合し始めにおいて蓋３０の嵌合部３４の一部が、容器本体１０の周壁１５に接触した状態になると、溝４１により食品容器１の内部空間ＳＰと外部とが連通する。蓋３０が容器本体１０側に押されると、溝４１を通って空気が外部に排出されるため、蓋３０が円滑に押し込められる。
【００３６】
溝４１の第２端４１ｂは、外周面３７ｂにおいて嵌合方向ＤＡの嵌合側ＳＢの端３７ｂｒと離間側ＳＡの端３７ｂｓとの間に配置されているため、蓋３０が容器本体１０に嵌合すると、全周において、蓋３０の嵌合部３４の外周面３７ｂと容器本体１０の周壁１５の内周面１５ａとが接触するようになり、食品容器１の内部空間ＳＰが密封される。
【００３７】
また、溝４１の第２端４１ｂ側の端部４２は、周方向の幅長ＬＸについて、嵌合方向ＤＡの離間側ＳＡに向かって先細りに構成されている。この構成によれば、周方向の幅長ＬＸが嵌合方向ＤＡに向かって溝の一端から他端にわたって一定である溝に比べて、外周面３７ｂにおいて、溝４１の第２端４１ｂの付近３７ｐでの、嵌合部３４の外周面３７ｂと容器本体１０の内周面１５ａとの接触面積が大きくなる。これによって接触面積が確保されるため、液漏れが効果的に抑制される。
【００３８】
また、好ましくは、溝４１は、蓋３０の外周面３７ｂにおける曲面部３７ｒに設けられる。これは次の理由による。蓋３０と容器本体１０とが嵌合した状態では、曲率が高い曲面部３７ｒは、他の面部３７ｘ，３７ｙよりも変形し難く、蓋３０の嵌合部３４の外周面３７ｂと容器本体１０の周壁１５の内周面１５ａとの密着状態が解除され難くなる。したがって、このような曲面部３７ｒに溝４１が設けられると、溝４１の存在によって溝４１周辺から液漏れが生じるといったことが効果的に抑制される。
【００３９】
さらに、容器本体１０と蓋３０との嵌合部分での液体漏れを抑制するため、容器本体１０の少なくとも内周面１５ａ及び蓋３０の少なくとも外周面３７ｂのうちで少なくとも一方が、２軸延伸樹脂により構成されてもよい。２軸延伸樹脂と非延伸樹脂との接触または２軸延伸樹脂同士の接触によれば、非延伸樹脂同士の接触に比べて摩擦力（グリップ力）が高くなるため、内周面１５ａと外周面３７ｂとの間からの液漏れが効果的に抑制される。このことは、蓋３０を容器本体１０に嵌合し始めた状態において、食品容器１の内部空間ＳＰの密封性を高めることになり、蓋３０の押し込み難さを生じさせる要因にもなるが、本実施形態では、蓋３０に溝４１が設けられているため、蓋３０を円滑に押し込むことができる。すなわち、この構成においては、溝４１の効果が顕著に現れる。
【００４０】
以下、溝４１を例示する。
図７には、溝４１の一例が示されている。
溝４１は、周方向の幅長ＬＸについて、第１端４１ａから第２端４１ｂ側の端部４２の基部４２ａまで、同じ寸法に構成されている。溝４１において第２端４１ｂ側の端部４２の周縁は、弧形状に構成される。端部４２は、周方向の幅長ＬＸについて、嵌合方向ＤＡの離間側ＳＡに向かって先細りに構成されている。
【００４１】
図８には、溝４１の第１変形例が示されている。
溝４１は、周方向の幅長ＬＸについて、第１端４１ａから第２端４１ｂ側の端部４２の基部４２ａまで、同じ寸法に構成されている。第２端４１ｂ側の端部４２は、周方向の幅長ＬＸについて、嵌合方向ＤＡの離間側ＳＡに向かって先細りに構成されている。具体的には、第２端４１ｂ側の端部４２は、図５の矢印Ａの方向からみて、三角形に構成される。なお、溝４１の端部４２の形状は、三角形に限定されない。例えば、溝４１の端部４２は、台形等に構成され得る。
【００４２】
図９には、溝４１の第２変形例が示されている。
溝４１は、周方向の幅長ＬＸについて、第１端４１ａから第２端４１ｂまで、周方向の幅長ＬＸについて、嵌合方向ＤＡの離間側ＳＡに向かって先細りに構成されている。この例では、図５の矢印Ａの方向からみて、溝４１全体の外形が三角形に構成されている。なお、溝４１全体の外形は、三角形に限定されない。例えば、台形、楕円形を短軸で切断し形状等に構成され得る。
【００４３】
図１０には、溝４１の第３変形例が示されている。
溝４１は、周方向の幅長ＬＸについて、第１端４１ａから第２端４１ｂ側の端部４２の基部４２ａまで、同じ寸法に構成されている。溝４１において第２端４１ｂ側の端部４２は、周方向の幅長ＬＸについて第１端４１ａと同じ寸法の部分と、周方向の幅長ＬＸについて第１端４１ａよりも幅狭の部分とを有し、嵌合方向ＤＡの離間側ＳＡに向かって段々に先細りとなるように構成されている。図１０に示される例では、段数は１段であるが、２段以上であってもよい。
【００４４】
＜第２実施形態＞
図１１〜図１６を参照して、第２実施形態に係る食品容器１について説明する。本実施形態では、容器本体１０に、食品容器１内の空気を排出するための溝５１が設けられている。容器本体１０及び蓋３０の構造は、第１実施形態と同じである。
【００４５】
本実施形態では、容器本体１０の周壁１５の内周面１５ａに、嵌合方向ＤＡに沿って延びる溝５１が設けられている。
【００４６】
溝５１の第１端５１ａは、容器本体１０の周壁１５の内周面１５ａにおいて嵌合方向ＤＡの離間側ＳＡの端１５ａｓまで延びる（図１３参照）。溝５１において第１端５１ａの反対側の第２端５１ｂは、内周面１５ａにおいて嵌合方向ＤＡの嵌合側ＳＢの端１５ａｒと離間側ＳＡの端１５ａｓとの間に配置される。
溝５１は、内周面１５ａにおいて嵌合方向ＤＡの離間側ＳＡの端１５ａｓを基点として、嵌合方向ＤＡの嵌合側ＳＢに向かって内周面１５ａの１／４以上３／４以下のところまで延びる。すなわち、溝５１の第２端５１ｂは、嵌合方向ＤＡにおいて内周面１５ａの幅長ＬＢの１／４以上３／４以下のところに位置する。
【００４７】
図１１及び図１２を参照して、蓋３０が容器本体１０に嵌合するときの作用及び効果を説明する。嵌合し始めにおいて蓋３０の嵌合部３４の一部が、容器本体１０の周壁１５に接触した状態になると、溝５１により食品容器１の内部空間ＳＰと外部とが連通する。蓋３０が容器本体１０側に押されると、溝５１を通って空気が外部に排出されるため、蓋３０が円滑に押し込められる。蓋３０が容器本体１０に嵌合すると、全周において、蓋３０の嵌合部３４の外周面３７ｂと容器本体１０の周壁１５の内周面１５ａとが接触するようになり、食品容器１の内部空間ＳＰが密封される。
【００４８】
また、溝５１の第２端５１ｂ側の端部５２は、周方向の幅長ＬＹについて、嵌合方向ＤＡの嵌合側ＳＢに向かって先細りに構成されている。この構成によれば、周方向の幅長ＬＹが嵌合方向ＤＡに向かって溝の一端から他端にわたって一定である溝に比べて、内周面１５ａにおいて、溝５１の第２端５１ｂの付近１５ｐでの、嵌合部３４の外周面３７ｂと容器本体１０の内周面１５ａとの接触面積が大きくなる。これによって接触面積が確保されるため、液漏れが効果的に抑制される。
【００４９】
以下、溝５１を例示する。
図１３には、溝５１の一例が示されている。
溝５１は、周方向の幅長ＬＹについて、第１端５１ａから第２端５１ｂ側の端部５２の基部５２ａまで、同じ寸法に構成されている。溝５１において第２端５１ｂ側の端部５２の周縁は、弧形状に構成される。端部５２は、周方向の幅長ＬＹについて、嵌合方向ＤＡの嵌合側ＳＢに向かって先細りに構成されている。
【００５０】
図１４には、溝５１の第１変形例が示されている。
溝５１は、周方向の幅長ＬＹについて、第１端５１ａから第２端５１ｂ側の端部５２の基部５２ａまで、同じ寸法に構成されている。第２端５１ｂ側の端部５２は、周方向の幅長ＬＹについて、嵌合方向ＤＡの嵌合側ＳＢに向かって先細りに構成されている。具体的には、第２端５１ｂ側の端部５２は、図１１の矢印Ｂの方向からみて、三角形に構成される。なお、溝５１の端部５２の形状は、三角形に限定されない。例えば、溝５１の端部５２は、台形等に構成され得る。
【００５１】
図１５には、溝５１の第２変形例が示されている。
溝５１は、周方向の幅長ＬＹについて、第１端５１ａから第２端５１ｂまで、周方向の幅長ＬＹについて、嵌合方向ＤＡの嵌合側ＳＢに向かって先細りに構成されている。この例では、図１１の矢印Ｂの方向からみて、溝５１全体の外形が三角形に構成されている。なお、溝５１全体の外形は、三角形に限定されない。例えば、台形、楕円形を短軸で切断した形状等に構成され得る。
【００５２】
図１６には、溝５１の第３変形例が示されている。
溝５１は、周方向の幅長ＬＹについて、第１端５１ａから第２端５１ｂ側の端部５２の基部５２ａまで、同じ寸法に構成されている。溝５１において第２端５１ｂ側の端部５２は、周方向の幅長ＬＹについて第１端５１ａと同じ寸法の部分と、周方向の幅長ＬＹについて第１端５１ａよりも幅狭の部分とを有し、嵌合方向ＤＡの嵌合側ＳＢに向かって段々に先細りとなるように構成されている。図１６に示される例では、段数は１段であるが、２段以上であってもよい。
【００５３】
＜その他の実施形態＞
・第１実施形態において、溝４１の断面構造は限定されない。例えば、溝４１の断面は、円弧状、Ｕ字状、＞字形状等に構成される。
・第２実施形態において、溝５１の断面構造は限定されない。例えば、溝５１の断面は、円弧状、Ｕ字状、＞字形状等に構成される。
【符号の説明】
【００５４】
１…食品容器、１０…容器本体、１１…収容部、１２…底面部、１３…台足部、１４…側面部、１５…周壁、１５ａ…内周面、１５ａｒ…端、１５ａｓ…端、１５ｐ…付近、１６…フランジ部、３０…蓋、３１…蓋本体部、３２…平面部、３３…側面部、３４…嵌合部、３５…内周壁、３６…横壁、３７…外周壁、３７ａ…傾斜部、３７ｂ…外周面、３７ｂｒ…端、３７ｂｓ…端、３７ｘ…面部、３７ｙ…面部、３７ｒ…曲面部、３７ｐ…付近、３８…延長部、３９…取っ手、４０…凸部、４１…溝、４１ａ…第１端、４１ｂ…第２端、４２…端部、４２ａ…基部、５１…溝、５１ａ…第１端、５１ｂ…第２端、５２…端部、５２ａ…基部、ＤＡ…嵌合方向、ＳＡ…離間側、ＳＢ…嵌合側、ＳＰ…内部空間。
【図１】
0003207937.tif 000003
【図２】
0003207937.tif 000004
【図３】
0003207937.tif 000005
【図４】
0003207937.tif 000006
【図５】
0003207937.tif 000007
【図６】
0003207937.tif 000008
【図７】
0003207937.tif 000009
【図８】
0003207937.tif 000010
【図９】
0003207937.tif 000011
【図１０】
0003207937.tif 000012
【図１１】
0003207937.tif 000013
【図１２】
0003207937.tif 000014
【図１３】
0003207937.tif 000015
【図１４】
0003207937.tif 000016
【図１５】
0003207937.tif 000017
【図１６】
0003207937.tif 000018